(57)【要約】【課題】アルバム帳を拡げることなく、思い出の写真を卓上で順次表示する。【解決手段】写真フレームの表示窓の背面に写真シート集合体を格納する写真シート収納箱を設ける。写真シート収納箱には写真シート集合体を表示窓に向って圧接させる圧接板とバネとを内蔵し、写真シート収納箱の外側に設けた防塵ケースの開閉により圧接板に対するバネからの圧接力を解除と印加とに切替制御し、写真シートの差替えを可能とした。【選択図】図３
2005288060.tif 000002
【特許請求の範囲】
【請求項１】
表示窓を具備した写真フレームと、
この写真フレームの上記表示窓の背面に装着され、上記表示窓に表示した姿勢にある写真シートの背面側に順次積層した複数枚の写真シートを格納する写真シート収納箱と、
この写真シート収納箱に内蔵され、上記表示窓に向って上記複数枚の写真シートに圧接力を与える圧接板と、
上記写真フレームの背面に上記写真シート収納箱を覆う姿勢と解放する姿勢に回動自在に装着された防塵ケースと、
上記圧接板又は上記防塵ケースの何れかの一方に装着され、上記防塵ケースが上記写真シート収納箱を覆う状態で上記圧接板に上記表示窓に向う圧接力を与えるバネと、
によって構成したことを特徴とする写真表示装置。
【請求項２】
請求項１記載の写真表示装置において、上記写真シート収納箱は上記表示窓の下辺から後方に突出した棚板と、上記表示窓の両側辺から後方に突出した一対の側面板と、これら棚板と一対の側面板と上記表示窓とで囲まれた空間の背面板を覆う背面版とによって構成し、上記背面板は少なくとも上辺部は上記側面板の後縁に近づいた位置と、それより離れた位置の二つの位置に移動できる状態で上記側面板に支持されていることを特徴とする写真表示装置。
【請求項３】
請求項１又は２記載の写真表示装置の何れかにおいて、
上記写真シート収納箱の側面板の上辺の相互間に差し渡され、上記棚板に支持された写真シート集合体の上辺とほぼ平行する姿勢で、上記写真シート集合体の上辺より高い位置に張られたゴムバンドによって、上記引き上げ手段を構成したことを特徴とする写真表示装置。
【請求項４】
請求項１乃至３記載の写真表示装置の何れかにおいて、
上記表示窓に張られた透明板と、この透明板を上記棚板の面から離れる方向及び近づく方向に昇降させる昇降手段と、
によって上記引き上げ手段を構成したことを特徴とする写真表示装置。
【請求項５】
請求項１乃至４記載の写真表示装置の何れかにおいて、
上記圧接手段を構成する圧接板と、この圧接板の上記写真シート集合体と接触する面に被着形成した摩擦係数が高い摩擦抵抗層と、上記圧接板の背面に係合し、上記圧接板を昇降させる昇降手段とによって上記引き上げ手段を構成したことを特徴とする写真表示装置。
【発明の詳細な説明】
【技術分野】
【０００１】  この発明は一般に写真立て等と呼ばれている写真フレームにアルバムの機能を付加した写真表示装置に関する。
【背景技術】
【０００２】  写真立は一枚の写真シート又は数枚の写真シートを組として一面に表示するだけで、その表示された写真シートを順次交換し、旅行の思い出、運動会等の行事の思い出等を時系列に表示して楽しむアルバムとして機能させる構造にはなっていなかった。
【発明の開示】
【発明が解決しようとする課題】
【０００３】  デジタルカメラで撮った写真データを表示器に表示させ、撮影順に順次画像を表示するスライドショーと呼ばれている方法がある。この方法によれば旅行あるいは運動会のような行事の様子を順に時系列に従って表示することができアルバムとして機能させ、思い出を楽しむことができる。
然し乍ら、スライドショーを実現するにはコンピュータを立ち上げ、コンピュータを動作させなければならず、誰にでも実現することは難しい。また、室内において、いつでも見える状態にしておくことはコンピュータの電力消費が無駄であり、望ましいことではない。
この発明の目的は写真シートを使ってスライドショーを実現しようとするものである。
【課題を解決するための手段】
【０００４】  この発明の請求項１では、表示窓を具備した写真フレームと、この写真フレームの表示窓の背面に装着され、表示窓に表示した姿勢にある写真シートの背面側に順次積層した複数枚の写真シートを格納する写真シート収納箱と、この写真シート収納箱に内蔵され、表示窓に向って複数枚の写真シートに圧接力を与える圧接板と、写真フレームの背面に写真シート収納箱を覆う姿勢と解放する姿勢に回動自在に装着された防塵ケースと、圧接板又は防塵ケースの何れかの一方に装着され、防塵ケースが写真シート収納箱を覆う状態で圧接板に表示窓に向う圧接力を与えるバネとによって構成した写真表示装置を提案する。
この発明の請求項２では、請求項１記載の写真表示装置において、写真シート収納箱は表示窓の下辺から後方に突出した棚板と、表示窓の両側辺から後方に突出した一対の側面板と、これら棚板と一対の側面板と表示窓とで囲まれた空間の背面側を覆う背面版とによって構成し、背面板は少なくとも上辺部は側面板の後縁に近づいた位置と、それより離れた位置の二つの位置に移動できる状態で側面板に支持されている写真表示装置を提案する。
この発明の請求項３では、請求項１又は２記載の写真表示装置の何れかにおいて、側面板の上辺の相互間に差し渡され、棚板に支持された写真シート集合体の上辺とほぼ平行する姿勢で、写真シート集合体の上辺より高い位置に張られたゴムバンドによって、引き上げ手段を構成した写真表示装置を提案する。【０００５】  この発明の請求項４では、請求項１乃至３記載の写真表示装置の何れかにおいて、表示窓に張られた透明板と、この透明板を棚板の面から離れる方向及び近づく方向に昇降させる昇降手段によって引き上げ手段を構成した写真表示装置を提案する。
この発明の請求項５では、請求項１乃至４記載の写真表示装置の何れかにおいて、圧接手段を構成する圧接板と、この圧接板の写真シート集合体と接触する面に被着形成した摩擦係数が高い摩擦抵抗層と、圧接板の背面に係合し、圧接板を昇降させる昇降手段によって引き上げ手段を構成した写真表示装置を提案する。
【発明の効果】
【０００６】  この発明の写真表示装置によれば、写真シート収納箱により写真表示窓の背面に例えば１００枚程度積層した写真シート集合体を格納することができる。写真シート収納箱に格納した写真シート集合体はその最前列の写真シートが圧接板に掛るバネの偏倚力によって表示窓の透明板に向って圧接され、写真を表示する状態に維持される。これと共に、防塵ケースを開放すると、バネの圧着力が解かれ、写真シートの集合体は写真シート収納箱の背面方向に倒れることができる。
写真シート集合体が後傾姿勢に倒れると、写真シート集合体の収合体の最前列の写真シートはそのプリント面が表示窓に張られた透明板から離れ、引き上げることができる状態となる。この際、請求項２で提案する写真シートの収納箱の構造とすることにより写真シート集合体の後傾角度を大きく採れるので表示窓の透明板と写真シート集合体の最前列の写真シートの面との間に大きな隙間を形成することができるから、写真シートの引き上げを容易に行なうことができる。【０００７】  写真シート引き上げ手段として請求項３で提案する構造とした場合、写真シート集合体の上部に張られたゴムバンドを指で押し下げゴムバンドの面を後傾姿勢にある最前列の写真シートのプリント面に接触させ、その接触状態で写真シートの面と平行に上向に移動させると、その写真シートは簡単に上向に移動し、写真シート集合体の位置から取り上げることができる。取り上げた写真シートを写真シート集合体の最後尾に差し込むことにより写真シートの交換は完了し、表示窓には新たな写真が表示される。
写真シートを取り上げた際に、写真シート収納箱を表示窓が低くなる姿勢に傾けると、後傾姿勢にある写真シート集合体は表示窓に向って傾れ、新たな表示状態となる。このとき圧接板は写真シート収納箱の背面板側に設けた摩擦係合手段に摩擦係合し、後傾姿勢を維持する。従って、この状態では写真シート集合体の最後尾の写真シートと圧接板との間に大きな空隙が形成されるから、この空隙部分に取り上げた写真シートを落とし込めば、写真シートの交換作業は終了する。つまり写真シートの交換を極めて簡単に行うことができる。【０００８】  この発明では更に、請求項４又は５で提案する引き上げ装置を装備した場合には防塵ケースを解放する動作と連動して昇降手段が作動し、この昇降手段によって表示窓に張られた透明板又は圧接板が上昇し、この上昇動作により透明板に接触した最前列の写真シート又は圧接板に接触した最後尾の写真シートを写真シート集合体の中から引き上げることができる。引き上げられた写真シートは指でつかむことができ、写真シート集合体から写真シートを簡単に取り出すことができる。この結果、引き上げ手段をゴムバンドで構成した場合より写真シートの交換作業を簡素化することができ、これにより表示の変更を容易に行うことができる。
このように、写真シートの交換を簡単に行うことができるから、日々表示の変更を行なう作業は苦にならない。従って写真シート集合体に配列する写真シートの順番を撮影の順番にしておくことにより、旅行の経過、行事の様子等を順に表示することができ、アルバムとして機能させることができる。
【発明を実施するための最良の形態】
【０００９】  図１乃至図７を用いてこの発明の第１実施形態の概要を説明する。図１はこの発明による写真表示装置の外観の一例を示す。
この第１実施形態では木製の写真フレーム１０の背面に防塵ケース２０を装着し、この防塵ケース２０の内部に写真シート収納箱３０（図２乃至図６参照）を格納した実施形態を示す。写真シートのサイズは縦８９ｍｍ、横１２７ｍｍのサービス判とすることができるが、その他のサイズの写真シート用の写真フレームを用いてこの発明の写真表示装置を構成してもよい。大判の写真シートを日々交換して表示する場合はその迫力は倍増される。
写真フレーム１０は周知のように枠材によって取囲まれて表示窓１１が形成される。各枠部材１０Ａ、１０Ｂ、１０Ｃの背面側には厚み方向に穿ったしゃくり部１２（図２参照）と、表示の面と平行する掛り部１３（図２参照）とが形成され、掛り部１３に透明板１４が係合して表示窓１１を塞ぐ姿勢で支持される。【００１０】  写真シート収納箱３０は下枠１０Ｂに形成されたしゃくり部１２の面を後方に延長した面を持つ棚板３１と、堅枠１０Ｃに形成されたしゃくり部１２の面を後方に延長した面を持つ側面板３２及びこれら棚板３１と側面板３２とで囲まれる空間の背面側を覆う背面板３３とを具備して構成される。写真シート収納箱３０の詳しい構造の例は後に説明することにして、ここではこの写真シート収納箱３０に収納する写真シート集合体４０と圧接板５０と、バネ６０との挙動について説明する。
写真フレーム１０に形成されるしゃくり部１２で囲まれる空間の面形状は例えばサービス判用の写真フレームであればサービス判のサイズの写真シートが四辺が掛り部１３の範囲に掛って収納され、正しい表示状態（プリント面の縁が表示窓１１に露出して表示されない状態）で表示することができる。従って、しゃくり部１２の面を後方に延長した面を持つ箱を写真フレーム１０の背面に装着することにより、この写真シート収納箱３０の表示状態にある写真シートとほぼ同一の姿勢に維持した複数枚の写真シートを収納することができる。ここでは複数枚の写真シートを積層した状態の写真シートを写真シート集合体４０と称することにする。従って写真シート収納箱３０に収納した写真シート集合体４０の各写真シートは、どの写真シートが最前列の位置に順番が回って来ても、正しい表示状態でそのプリント面を表示することができる。【００１１】  写真シート収納箱３０に収納されている写真シート集合体４０の背後に圧接板５０が配置される。圧接板５０は強度の強い板で構成され、写真シートの面形状よりわずかに大きい程度に形成される。この第１実施形態ではこの圧接板５０の背面にバネ６０を装着した場合を示す。バネ６０はここでは円錐形のコイルバネを用いた場合を示す。円錐形バネは最小形状に圧縮変形した状態ではバネを構成するバネ材同士が重ならないからバネ材の直径の厚みまで圧縮変形できる。従って写真シート収納箱３０の奥行寸法を有効に利用することができる。バネ６０の自然状態にあるバネ長Ｍ（図３参照）を写真シート収納管３０の奥行寸法Ｄ（Ｄ≒４０ｍｍの場合）にほぼ等しい程度に選定することにより表示できる写真シート集合体４０の厚み、つまり写真シートの枚数を数枚程度から最大１２０〜１３０枚程度とすることができる。
写真シート収納箱３０を構成する背面板３３には孔が形成され、この孔を通じてバネ６０は写真シート収納箱３０の背面から外向に突出される。防塵ケース２０を閉じるとバネ６０の遊端側は防塵ケース２０の背面板に当接し、防塵ケース２０の反力によって圧接板５０に表示窓１１に向う弾性偏倚力が与えられる。この弾性偏倚力によって写真シート集合体４０は表示窓１１に向って圧接され、その最前列の写真シートが表示窓１１の透明板１４に圧接され、平面度に狂いなく表示することができる。尚、バネ６０は防塵ケース２０の背面板に装着することもできる。【００１２】  防塵ケース２０を開けると、バネ６０の偏倚力は解除され、写真シート集合体４０は図４に示す状態に倒すことができる。この状態で写真シート収納箱３０を構成する背面板３３が写真シート集合体４０の荷重を受けてわずかに後方に倒れる構造とすることにより、写真シート集合体４０の最前列と写真フレーム１０との間に大きい空隙を形成することができる。この空隙の形成によって写真シート集合体４０の最前列の写真シートを取り上げる作業を容易に行なうことができる。
写真シート引上げ手段７０として写真シート収納箱３０に収納されている写真シート集合体３０の各写真シートの上辺より高い位置に各写真シートの上辺と平行する方向、つまり写真シート収納箱３０の側面板３２の上辺の相互間にゴムバンド７１を架張し、このゴムバンド７１で写真シート引上げ手段７０を構成した場合を示す。
図４に示す状態でゴムバンド７１を指で下向きに押し込み、ゴムバンド７１を写真シート集合体４０の最前面の写真シートのプリント面に接触させる。その接触状態で写真シートの面と平行にゴムバンド７１を上向に移動させることにより写真シートを上向きに移動させることができる。つまり、指先で直接写真シートを引き上げる場合には指の表面の摩擦係数は湿度等に影響されてゴムの摩擦係数より低い場合が多い。ゴムの摩擦係数は常に一定を保ち、比較的大きい値を示すから、常に一定の条件で確実に写真シートを引き出すことができる。【００１３】  引き出した写真シートは写真シート集合体４０の最後尾に挿し込めばよい。このとき、この発明では圧接板５０を背面板３３に摩擦係合させ、圧接板５０を写真シート集合体４０と共に戻ることを阻止する摩擦係合手段を設ける。摩擦係合手段の詳しい構造は後に説明するが、この摩擦係合手段を設けたことにより、最前列の写真シートを取り上げた状態で写真シート収納箱３０の姿勢を写真フレーム１０側が低くなる姿勢に傾けると、図５に示すように写真シート集合体４０だけが表示窓１１と平行する姿勢に戻り、圧接板５０の上辺は背面板３３に摩擦係合した状態に残される。この結果図５に示すところから明らかなように、写真シート集合体４０の最後尾と圧接板５０との間に空隙が形成されるから、この空隙部分に取り上げた写真シートを落とし込めば、写真シートの差し替えを終えることができ、この状態で防塵ケース２０を閉じると圧接板５０はバネ６０の反力で簡単に摩擦係合手段から離脱し、写真シート集合体４０を圧接する状態に復帰し、表示窓１１には２番目に位置した写真シートが表示状態となる。以上によりこの発明によれば写真シートの差し替えを簡単に行なうことができることが理解できよう。従って、写真シート収納箱３０に旅行で撮った写真を収納し、写真の差し替えを日々行なうことにより旅行の様子を再現することができる。また、運動会などの行事の様子を時間の経過に従って再現することができる。【００１４】  以下に各部の構造の詳細を説明する。図６に防塵ケース２０の構造の一例を示す。防塵ケース２０は例えばプラスチック製の蓋付きケースを利用することができる。蓋２１と本体２２とは肉薄部で形成されたヒンジで連結され蓋２１は本体２２の開口部に対して開閉自在に支持される。蓋２１には写真フレーム１０のしゃくり部１２の開口面の形状に等しいかそれより大きい寸法の開口２３を形成し、周辺にビス孔２４を形成し、このビス孔２４を通じて木ネジを写真フレーム１０の背面にネジ込んで防塵ケース２０と写真フレーム１０とを一体化する。従って、この状態では本体２２が実施質的に防塵ケース２０の本体として作用し、本体２２の開口部の一辺が写真フレーム１０の下辺と平行する軸線を回動軸として写真フレーム１０に回動自在に支持される。防塵ケースの回動遊端には係止手段２５が設けられる。係止手段２５はこの例では本体２２の開口部分の縁に突設した突片２５Ａと、この突片２５Ａの先端に形成した凹溝２５Ｂと、蓋２１の内面に形成した断面が三角形の突起２５Ｃとによって構成した場合を示す。この突起２５Ｃと凹溝２５Ｂが係合して本体２２を閉位置にロックする。ロックを��す場合は突片２５の部分を内向きに押し込むことにより凹溝２５Ｂを突起２５Ｃとの係合から外すことができ、ロックを解除することができる。係止手段２５の構造はこの構造に限られるものでなく、その他の各種の係止構造を採ることができる。【００１５】  図７に写真シート収納箱３０の構造の一例を示す。写真シート収納箱３０は金属板又はプラスチック或は強度の高い紙等で形成することができる。３１は棚板を示す。棚板３１は長方形状とされ、その長辺方向の寸法Ｗは写真フレーム１０に形成されたしゃくり部１２が形成する開口形状の横幅よりわずかに短く選定され、奥行寸法Ｄは防塵ケース２０の奥行寸法よりわずかに短い寸法に選定する。棚板３１の前端には長辺方向のほぼ全体にわたって突片３１Ａを形成し、この突起３１Ａを写真フレーム１０の下枠１０Ｂに形成したしゃくり部１２に挿入し、写真フレーム１０のしゃくり部１２から棚板３１の面までを同一面で形成する。このように構成することにより、透明板１２の背後に収納される写真シート集合体４０の内の写真シートが、写真フレーム１０と棚板３１との間に形成される間接に落ち込む事故を防止することができる。
棚板３１の両端辺から上向きに表示窓１１の両側辺に沿って側面板３２を配置する。側面板３２も長方形とされ、その長辺方向の寸法Ｈは写真フレーム１０のしゃくり部１２が形成する開口形状の縦方向の寸法よりわずかに短かい程度に選定する。側面板３２の前縁には側面板３２の板面と直交する方向に外向きに折曲げたフランジ３２Ａを形成する。このフランジ３２Ａを例えば防塵ケース２０を構成する蓋２１と写真フレーム１０との間に挟み込み、蓋２１を写真フレーム１０に取り付けるための木ネジで蓋２１と共に写真フレーム１０に固定する。尚、側面板３２と棚板３１は防塵ケース２０と一体にプラスチックで形成してもよいし、防塵ケース２０とは別に金属板または強度のある紙で作ることができる。【００１６】  ３３は背面板を示す。背面板３３は写真シート集合体４０及び圧接板５０が後方に倒れる際にストッパとして作用する。背面板３３の長辺の一方を棚板３１の後方側の長辺に対して回動自在に装着し、その両側から前方に折返片３３Ａを突出させ、この折返片３３Ａを側面板３２の外側の面に摺接させる。
側面板３２の上辺の近くに上辺と平行する向に長軸を持つ長孔３２Ｂを形成し、この長孔３２Ｂに折返片３３Ａに植接したピン３３Ｂを貫通させ、ピン３３Ｂと長孔３２Ｂと長孔３２Ｂとによって背面板３３の回動範囲を規制する。背面板３３が後方に傾動する回動範囲はあまり大きく採らない方がよく、せいぜい１０°〜２０°程度がよい。その理由は後で説明する。
背面板３３の上辺の両側に摩擦係合手段８０を設ける。図７に示す例では板バネのような一対の弾性片をＬ字上に折曲、折曲片同士を互に向い合わせて配置し、互に向かい合った折曲片の間に圧接板５０を弾性的に係合させて摩擦係合手段８０を構成した場合を示す。摩擦係合手段８０の係合力はバネ６０の弾性偏倚力より充分に小さく選定する。このように選定することにより防塵ケース２０を閉じると、バネ６０の偏倚力によって圧接板５０は摩擦係合手段８０との係合から開放され、写真シート集合体４０の最後尾の位置に復帰する。【００１７】  ここで写真シート収納箱３０の背面板３３を大きく後方に回動させた場合に発生する不都合について説明する。背面板３３を大きく後方に倒した場合、写真シート集合体４０も大きく後方に倒れることになる。写真シートの枚数が５０〜６０枚より多くなると、その自重が重くなるため、写真シート集合体４０は棚板３１の上を透明板１４に向って滑りだし、透明板１４にのし上がる状態となる。図８にその様子を示す。
図８に示す状態になると、写真シートは写真フレーム１０の上枠１０Ａのしゃくり部に係合し、写真シート収納箱３０の姿勢を後方に傾けても、写真シート集合体４０の全ての写真シートが後傾姿勢に倒れない状況となり、最前部の写真シートが写真フレーム１０の透明板１４に貼り付いた状況となる。この状況になると、透明板１４に貼り付いた写真シートを取り外すには例えばマイナスドライバの先或はカミソリの刃の先のように薄い形状の道具を用いて透明板１４から写真シートを引きはがす作業が必要となり面倒な作業が課せられる。【００１８】  この点、背面板３３を大きく後方に解放させなければ図８に示すような状況の発生を阻止することができる。また、背面板３３に対して圧接板５０の受け止め位置を写真シート集合体４０の重心位置より高い位置で受け止めさせることにより、図８に示す不都合の発生を更に軽減することができる。つまり、写真シート集合体４０の重心位置より上側で写真シート集合体４０を受け止めることにより、図８に示す現象の発生を低減することができる。
写真シートを引き剥がす作業を行わなくても済むようにするには、透明板１４の周辺をしゃくり部１２に軽く摩擦係合させて表示窓１１の閉塞姿勢を維持させるように構成すればよい。このように構成しておくことにより、仮に写真シートが透明板１４に貼付いてしまった場合には、表側から透明板１４を押すことにより透明板１４を後方に外すことができ、この状態で写真シートを取り外すことができる。写真シートを取り外した後は、透明板１４を表示窓１１に押込めばよい。
図９はこの発明の第２実施形態を示す。この実施形態では写真シート引上げ手段７０の変形例を示す。図９に示す写真シート引上げ手段７０は透明板１４と、この透明板１４を昇降自在に支持した昇降手段ＥＶとによって構成した場合を示す。【００１９】  透明板１４の両方の側辺部の上端側に一対の突辺１４Ａを形成し、この一対の突辺１４Ａを９０°折曲げて写真シート収納箱３０の側面板３２の面と平行する面に合致させる。突辺１４Ａに背面板３３に回動支持点を持つリンクレバー７２を回動自在に連結する。リンクレバー７２にはその中間部分に棚板３１との間に差し渡したリンクレバー７３Ａと７３Ｂをリンク結合する。リンクレバー７３Ｂの延長端部に例えば可撓性を持つ紐状体７４の一端を接続し、他端を防塵ケース２０の背面板に連結する。このようにして、この例ではリンクレバー７２と、リンクレバー７３Ａ、７３Ｂと、紐状体７４とによって昇降手段ＥＶを構成したことになる。尚、リンクレバー７２と７３Ｂは線材をコ字状に折曲げ、コ字状の両辺部分をリンクレバーとして作用させ、その中間部分を背面板３３及び棚板３１の底面に軸支すればよい。
透明板１４の下辺には写真シートと接触する部分に例えばゴム形塗料を塗布し、摩擦係数膜１４Ｂを形成する。透明板１４とリンクレバー７２との間にスプリングを７５介挿し、このスプリング７５によって透明板１４の下辺を図９の例では反時計方向に回動させる弾性偏倚力を与える。【００２０】  この構造によれば防塵ケース２０を開き、バネ６０に与えていた圧接力を解放させ、更に、写真シート収納箱３０の姿勢を背面板３３が低くなる姿勢に傾けると、圧接板５０は写真シート集合材４０の重量に従って、後方に倒れ、圧接板５０の上辺は背面板３３に当接する。背面板３３に圧接板５０を介して写真シート集合体４０の重量が掛ることにより背面板３３も所定量だけ後方に倒れる。背面板３３が所定量後方に倒れたとき、透明板１４も背面板３３の後傾姿勢と同等の角度で後傾姿勢となる。この状態で透明板１４も背面板３３の後傾姿勢と同等の角度で後傾姿勢となる。この状態で透明板１４の上辺は写真フレーム１０のしゃくり部１２の内側から外に引き出される。
防塵ケース２０の開角度が所定値に達すると、紐状体７４が張られる。更に防塵ケース２０の開度が進むと、リンクレバー７３Ｂに張力が与えられる。リンクレバー７３Ｂの延長端部に張力が与えられることにより、リンクレバー７３Ａと７３Ｂは直線形状となる姿勢に回動し、リンクレバー７２を上向に押し上げる。この力でリンクレバー７２は回動し、透明板１４を上向きに移動させる。透明板１４が上向に移動する際に、透明板１４の下辺に摩擦係合手段１４Ｂを被着したから、この摩擦係合手段１４Ｂと係合する写真シートが上向に移動し、写真シート収合体４０から引き出すことができ、指でつまみ上げることができる。指でつまみ上げた状態で写真シート収納箱３０を写真フレーム１０側が低くなる姿勢に傾けることにより、写真シート集合体４０が透明板１４に向って倒れる。このとき、写真シート集合体４０の最後尾と圧接板５０との間に大きな空隙が形成される。この空隙に取り出した写真シートを落とし込めば、写真シートの差し替えは完了し、防塵ケース２０を閉じると、次の写真シートの表示状態となる。
図９に示した昇降機構ＥＶは一例であり、その他の各種構造の昇降機構を用いることができる。【００２１】  図１１と図１２にこの発明の第３実施形態を示す。この第３実施形態では圧接板を用いて引き上げ手段７０を構成した場合を示す。
この場合の昇降手段ＥＶは背面板３３の板面に沿って上下方向に摺動自在に配置した摺動板７６と、この摺動板７６と防塵ケース２０の背面板との間に連結したベルト７７とによって構成した場合を示す。
摺動板７６は図１２に示すようにバネ６０を貫通させる孔を避けて門形とし、両方の脚部と対向して長軸が摺動板７６の摺動方向と直交する向のスリット状の窓３３を形成する。このスリット状の窓３３Ｃにベルト７７を通過させ、その他端を防塵ケース２０の背面板に連結する。
摺動板７６には例えば背面板３３との間にスプリング７８（図１２参照）を介挿し、摺動板７６に下向の偏倚力を与える。
圧接板５０の上辺には後方に向って突片５１を形成し、圧接板５０が後方に倒れた状態でこの突片５１が摺動板７６の上辺に係合するように、圧接板５０の縦方向の寸法を選定する。圧接板５０の表示窓１１に対向する側の面には摩擦抵抗が大きいシード５２を張り付ける。【００２２】  このように構成することにより、防塵ケース２０を開け始めると、バネ６０の偏倚力が解除され圧接板５０及び写真シート集合体４０が後方に傾き始める。この状態ではベルト７７にはまだ張力が発生しないようにベルト７７の長さを設定する。圧接板５０の上辺が背面板３３の上辺に衝合し、写真シート集合体４０の重量が背面板３３に受け止められた時点でベルト７７に張力が発生し始め、摺動板７６を上向に摺動させる。摺動板７６の上辺が背面板３３の上辺の位置より上方に突出し始めると、圧接板５０の突片５１が摺動板７６の上辺に係合し、摺動板７６の上昇に追従して圧接板５０も上昇を始める。
圧接板５０に貼り付けたシート５２には写真シート集合体４０の最後尾のシートが接触しているから、この最後尾の写真シートが圧接板５０と共に上昇し、写真シート集合体４０の位置から引き上げられる。図１１に示す４１は引き上げられた写真シートを示す。
圧接板５０と摺動板７６の各上辺には図１３に示すように切欠を形成しておくことにより、この切欠の部分で引き上げた写真シートを指でつかむことができる。つかみ上げた写真シートは写真シート集合体４０の最前列に差し込めば写真シートの差し替えは完了する。
図１４にこの発明の第４実施形態を示す。この実施形態では圧接板５０が後方に倒れる際に、圧接板５０を受け止めるストッパを背面板３３ではなく、線材で形成したリンク部材７９で構成し、このリンク部材７９と図９及び図１０に示したリンク部材７３Ａ及び７３Ｂと紐状体７４とによって昇降手段ＥＶを構成した場合を示す。尚、図１４では防塵ケース２０を省略して示している。【００２３】  リンク部材７９は例えば金属線をコ字上に折曲げ、その両方の遊端端を内側に折り曲げ、この内側に折曲げた部分を側面板３２に形成した長孔３２Ｂに係合させ、後方にスライドできるように装着する。リンク部材７９の中間部分に軸受部７９Ａを設け、軸受部７９Ａにリンクレバー７３Ａの一端を係合させる。リンクレバー７３Ａはリンクレバー７３Ｂとリンク結合され、リンクレバー７３Ｂは棚板３１の底面に回動自在に軸支される。リンクレバー７３Ｂも線材をコ字上に折曲げて構成され、コ字状の両遊端部がリンクレバー７３Ａにリンク結合される。更に、リンクレバー７３Ｂの延長端に紐状体７４の一端を連結し、紐状体７４の他端は防塵ケース２０の背面板に連結する。
このように構成した場合は防塵ケース２０を開けると、防塵ケース２０が開放に向う初期状態では紐状体７３は未だ張力を生じないが、開角度が大きくなると、紐状体７４に張力が発生し、リンクレバー７３Ａと７３Ｂの姿勢をくの字から直線状態へと変位させる。（このときリンク部材７９は写真シート集合体４０の重みで後方にスライドしている）このリンクレバー７３Ａと７３Ｂの変位によってリンク部材７９は圧接板５０を受け止めている部分が上向に回動し、圧接板５０を上向に上昇させる。【００２４】  圧接板５０が上向に上昇すると圧接板５０に接触している写真シートが摩擦シート５２（図１３）との摩擦係合により圧接板５０と共に上向に引き出される。
圧接板５０の上辺に図１３に示した切欠５３を形成しておくことにより、この切欠５３の部分で引き出した写真シートを指でつかむことができる。
以上説明したように、昇降手段ＥＶの構造は各種の構造を用いることができ、図９、図１０、および図１１、図１２、図１４、に示した構造以外の構造の昇降手段を用いることができる。
また、上述では木製の写真フレームを用いた例を説明したが、透明板の背面に枠状のマットを積層し、マットに形成した表示窓に写真を表示する構造の写真フレームにこの発明を適用することができる。
【産業上の利用可能性】
【００２５】  この発明による写真表示装置は日常生活において、特にアルバム帳を拡げなくとも思い出のある写真を順番に表示し、人々に楽しみを与えることに活用する。
【図面の簡単な説明】
【００２６】
【図１】この発明による写真表示装置の外観の一例を説明するための斜視図。
【図２】図１の側面図。
【図３】この発明による写真表示装置の動作を説明するための断面図。
【図４】図３と同様の断面図。
【図５】図３と同様の断面図。
【図６】図１に示した防塵ケースの具体的な構造の一例を説明するための斜視図。
【図７】図１に示した写真表示装置に用いた写真シート収納箱の具体的な構造の一例を説明するための斜視図。
【図８】写真シート集合体で発生する不都合を説明するための断面図。
【図９】この発明の第２の実施形態を説明するための断面図。
【図１０】図９に示した実施形態の動作を説明するための断面図。
【図１１】この発明の第３の実施形態を説明するための断面図。
【図１２】図１１に示した第３の実施形態の構造を説明するための背面図。
【図１３】図１１に示した第３の実施形態で適用して好適な圧接板の構造を説明するための斜視図。
【図１４】この発明の第４の実施形態を説明するための断面図。
【符号の説明】
【００２７】  １０    写真フレーム                        ５０    圧接板
１１    表示窓                              ６０    バネ
１４    透明板                              ７０    写真シート引上げ手段
２０    防塵ケース                          ８０    摩擦係合手段
３０    写真シート収納箱                    ＥＶ    昇降手段
３１    棚板
３２    側面板
３３    ストッパ
３３Ａ    背面板
４０    写真シート集合体
【図１】
2005288060.tif 000003
【図２】
2005288060.tif 000004
【図３】
2005288060.tif 000005
【図４】
2005288060.tif 000006
【図５】
2005288060.tif 000007
【図６】
2005288060.tif 000008
【図７】
2005288060.tif 000009
【図８】
2005288060.tif 000010
【図９】
2005288060.tif 000011
【図１０】
2005288060.tif 000012
【図１１】
2005288060.tif 000013
【図１２】
2005288060.tif 000014
【図１３】
2005288060.tif 000015
【図１４】
2005288060.tif 000016